(57)【要約】      （修正有）【課題】迅速に交換可能なシャックルを有する南京錠と自由に転換可能なデッドロック機構を有する南京錠を提供する。【解決手段】南京錠は鎖錠コア部３と、鎖錠部材４と、球状阻止部材５，５’と、自身上に２個の脚部受入チャンバ１１、１２と通路とが設けられる錠本体１と、それぞれ前記脚部受入チャンバ内において受けられて南京錠を鎖錠する長尺および短尺平行脚部２１、２２によって形成されるＵ字形状をなすシャックル２とを備える。当接頭部を有する環状溝２１１を、前記長尺脚部の自由端部に設け、ねじ穴２１３を有するへこみ部２１２を、前記当接頭部の外周面上に設ける。シャックル交換ねじ７を、前記ねじ穴内に螺入せしめ、螺合位置における前記ねじの端面は、前記へこみ部より高く、かつ前記当接頭部の前記外周面より低くする。さらにデッドロック転換ブロックを設ける。【選択図】図３
2007231721.tif 000002
【特許請求の範囲】
【請求項１】
迅速に交換可能なシャックルを有する南京錠において：
鎖錠コア部と、前記鎖錠コア部に結合される鎖錠部材と、球状阻止部材とが自身の内部に配設されるとともに、深底脚部受入チャンバと、浅底脚部受入チャンバと、前記深底脚部受入チャンバと連通する通路とが自身上に設けられる錠本体と；
前記深底脚部受入チャンバ内に受容される長尺平行脚部と、前記浅底脚部受入チャンバ内に受容される短尺平行脚部とによって形成されるＵ字形状をなすシャックルであって、前記２本の各脚部は、前記球状阻止部材と合致する外れ止め凹部を備え、当接頭部を有する環状溝が前記長尺脚部の自由端部に設けられ、南京錠が開錠状態にあるときに、前記長尺脚部は、前記深底脚部受入チャンバ内において回転せしめられうるとともに、上昇せしめられ得、前記短尺脚部は、前記浅底脚部受入チャンバ内において上昇せしめられうるとともに、前記チャンバから脱却せしめられ得、前記長尺および短尺脚部上の前記外れ止め凹部は、南京錠が鎖錠状態にあるときに、それぞれ前記球状阻止部材と係合するシャックルと；を備え、
へこみ部が前記長尺平行脚部の当接頭部の外周面上に設けられ、それには前記へこみ部に対して垂直なねじ穴が設けられ；シャックル交換ねじは、前記ねじ穴内に螺入せしめられるとともに、螺合位置における前記ねじの端面は、前記へこみ部より高く、かつ前記当接頭部の前記外周面より低く；前記シャックル交換ねじは、該ねじが前記錠本体上の前記通路を貫通することができる形状および寸法を有するように形成され；
前記ねじ穴は、南京錠が前記開錠状態にあるときに、該ねじ穴と前記通路とが同じ水平面上にあり、かつ相互に位置ずれするように配置されることを特徴とする南京錠。
【請求項２】
前記通路は、前記錠本体が前記深底脚部受入チャンバの長手中心軸と整合する前記錠本体上の位置に配置されることを特徴とする請求項１に記載の南京錠。
【請求項３】
前記通路は、南京錠が前記開錠状態にあるときに、前記ねじ穴に対して１８０°の角度で位置ずれすることを特徴とする請求項１または２に記載の南京錠。
【請求項４】
前記通路は、南京錠が前記開錠状態にあるときに、前記ねじ穴に対して９０°の角度で位置ずれすることを特徴とする請求項１または２に記載の南京錠。
【請求項５】
前記シャックル交換ねじは、自身の頭部に六角ねじ穴を有することを特徴とする請求項１に記載の南京錠。
【請求項６】
自由に転換可能なデッドロック機構を有する南京錠において：
鎖錠コア部と、前記鎖錠コア部に結合される鎖錠部材と、球状阻止部材とが自身の内部に配設されるとともに、深底脚部受入チャンバと、浅底脚部受入チャンバとが自身上に設けられる錠本体と；
前記深底脚部受入チャンバ内に受容される長尺平行脚部と、前記浅底脚部受入チャンバ内に受容される短尺平行脚部とによって形成されるＵ字形状をなすシャックルであって、前記２本の各脚部は、前記球状阻止部材と合致する外れ止め凹部を備え、南京錠が開錠状態にあるときに、前記長尺脚部は、前記深底脚部受入チャンバ内において上昇せしめられ得、前記短尺脚部は、前記浅底脚部受入チャンバ内において上昇せしめられうるとともに、前記チャンバから脱却せしめられ得、前記長尺および短尺脚部上の前記外れ止め凹部は、南京錠が鎖錠状態にあるときに、それぞれ前記球状阻止部材と係合するシャックルと；を備え、
前記鎖錠コア部は、前記鎖錠部材に対応するとともに、前記鎖錠コア部と前記鎖錠部材との間における結合面から突出する２個のストッパを有し；前記鎖錠部材は、前記球状阻止部材を部分的に受容する受け部と、前記ストッパに結合するとともに前記ストッパ間に配置される結合部とを含み；
前記鎖錠コア部は、第１のデッドロック転換ブロック受入チャンバが一方の前記ストッパ上に設けられてデッドロック転換ブロックを完全に受容し、第２のデッドロック転換ブロック受入チャンバが前記鎖錠コア部の前記結合面上に設けられて前記デッドロック転換ブロックを、前記デッドロック転換ブロックが前記鎖錠コア部の前記結合面を超えて突出する態様に受容するデッドロック転換ブロックをさらに含み；前記第２のデッドロック転換ブロック受入チャンバは、前記鎖錠コア部が前記鎖錠部材に結合せしめられているときに、前記鎖錠部材の前記結合部の一方の端部が一方の前記ストッパと前記第２のデッドロック転換ブロック受入チャンバとの間に配置される位置に配置されることを特徴とする南京錠。
【請求項７】
前記デッドロック転換ブロックは、円柱、直方体または立方体の形状をとることを特徴とする請求項６に記載の南京錠。
【発明の詳細な説明】
【技術分野】
【０００１】
本発明は、鎖錠装置に関し、特に迅速に交換可能なシャックルを有する南京錠および自由に転換可能なデッドロック機構を有する南京錠とに関する。
【背景技術】
【０００２】
南京錠のシャックルは、使用中における損傷の結果として交換が必要なことがあり、これは、通常用いられている南京錠においてはあまりにも困難である。シャックルの交換を果たすためには、南京錠の鎖錠コア部を最初に錠本体から取り外さなければならず、錠の内部の関連部分を調節するために、いくつかの特殊な工具が必要になる。この全工程が熟練した錠前師によって成し遂げられなければならないため、使用者にとって不便かつ不経済である。
【０００３】
ここで、図１（ａ）および１（ｂ）を参照すると、南京錠は、錠本体１０と、自身の自由端部に溝１１１を有するシャックル１１と、を備える。この改良は、開口部１０１が錠本体１０の裏側に設けられるとともに、シャックル１１が開錠状態にあるときに前記溝１１１と整合するように配置されるところにある。自身の頭部に六角穴を有するシャックル交換ねじ１２は、前記開口部１０１内に螺入せしめられる。このシャックル交換ねじ１２は、前記溝１１１内において受けられて、シャックル１１が開錠状態にあるときに、シャックル１１が錠本体１０から脱落することを阻止しており、シャックル交換ねじ１２を六角レンチにより抜き取って、シャックル１１を錠本体１０から取外し可能にし、以ってシャックル１２の交換を果たすことができる。
【０００４】
前記の南京錠は、構造が単純であることと、シャックルを交換する作業が容易であることとを含む利点を有するが、いくつかの欠点を有することは自明である。特に、前記開口部１０１内に配置されるシャックル交換ねじ１２は、南京錠が鎖錠状態にあるときに、見えており、かつ取り外されうる。このようにシャックル交換ねじ１２が取り外されると、シャックル１１は、開錠状態において錠本体１０から脱落して、南京錠の破損を引き起こしうる。
【０００５】
鍵は、南京錠が開錠状態にあるときに、鍵が南京錠から自由に抜き取られうる一方のモードと、該鍵が南京錠内において閉じ込められる他方のモードとの２つのモードを有する。後者は、「デッドロック・モード」と呼ばれる。
【０００６】
前者のモードによっては使用者によって鍵を持ち去ることが可能になり、鍵そのものを南京錠内に差し込んだままにしておくと、鍵を紛失しやすい。
【０００７】
後者のモードによっては鍵を常に南京錠内に保持しておくことが可能になるが、使用者が鍵を持ち去る上では不便となる。使用者がそれを望むときに、デッドロック・モードと非デッドロック・モードとの間において鍵を転換する必要がある。
【０００８】
図２（ａ）および２（ｂ）に、現在利用可能な、自由に転換可能なデッドロック機構を有する南京錠において、鎖錠コア部１５と鎖錠部材１６とが内部に設けられる錠本体１３と、シャックル１４と、を有する南京錠が示されている。この南京錠は、図２（ｃ）に示されるようなデッドロック転換ブロック１７が設けられるという点において改良されている。デッドロック・モードの変更は、開錠状態において鎖錠コア部１５を抜き取り、デッドロック転換ブロック１７を取り外すかまたはデッドロック転換ブロック１７を鎖錠部材１６の領域Ｃ上に配置することによって達成されうる。
【発明の開示】
【発明が解決しようとする課題】
【０００９】
前記南京錠は、構造が単純であることと、熟練者を必要とすることなくデッドロック・モードと非デッドロック・モードとの間において鍵を変更する作業が容易であることとを含む利点を有するが、デッドロック転換ブロック１７が非デッドロック・モードにおいて取り去られ、かつ別の場所に保管される必要があるという欠点を有する。一旦デッドロック転換ブロックを紛失すると、転換可能なデッドロック機構は、動作不能になってしまう。
【００１０】
前記の欠点を克服するとともに、安全かつ確実に使用することができる、迅速に交換可能なシャックルを有する南京錠、および自由に転換可能なデッドロック機構を有する南京錠とを提供する。
【課題を解決するための手段】
【００１１】
本発明の１つの態様によれば、迅速に交換可能なシャックルを有する南京錠は：
鎖錠コア部と、前記鎖錠コア部に結合せしめられる鎖錠部材と、球状阻止部材とが自身の内部に配設されるとともに、深底脚部受入チャンバと、浅底脚部受入チャンバと、前記深底脚部受入チャンバと連通する通路とが自身上に設けられる錠本体と；
前記深底脚部受入チャンバ内に受容される長尺平行脚部と、前記浅底脚部受入チャンバ内に受容される短尺平行脚部とによって形成されるＵ字形状をなすシャックルであって、前記２本の各脚部は、前記球状阻止部材と合致する外れ止め凹部を備え、当接頭部を有する環状溝が前記長尺脚部の自由端部に設けられ、南京錠が開錠状態にあるときに、前記長尺脚部は、前記深底脚部受入チャンバ内において回転せしめられうるとともに、上昇せしめられ得、前記短尺脚部は、前記浅底脚部受入チャンバ内において上昇せしめられうるとともに、前記チャンバから脱却せしめられ得、前記長尺および短尺脚部上の前記外れ止め凹部は、南京錠が鎖錠状態にあるときに、それぞれ前記球状阻止部材と係合するシャックルと；を備え、
へこみ部が前記長尺脚部の前記当接頭部の外周面上に設けられ、それにはへこみ部に対して垂直なねじ穴が設けられ；シャックル交換ねじは、前記ねじ穴内に螺入せしめられるとともに、螺合位置における前記ねじの端面は、前記へこみ部より高く、かつ前記当接頭部の前記外周面より低く；前記シャックル交換ねじは、該ねじが前記錠本体上の前記通路を貫通することができる形状および寸法を有するように形成され；
前記ねじ穴は、南京錠が開錠状態にあるときに、該ねじ穴と前記通路とが同じ水平面上にあり、かつ相互に位置ずれするように配置されることを特徴とする。
【００１２】
好ましくは、前記通路は、錠本体上において、錠本体が前記深底脚部受入チャンバの長手中心軸と整合する位置に配置される。
【００１３】
好ましくは、前記通路は、南京錠が開錠状態にあるときに、前記ねじ穴に対して１８０°の角度で位置ずれする。
【００１４】
好ましくは、前記通路は、南京錠が開錠状態にあるときに、前記ねじ穴に対して９０°の角度で位置ずれする。
【００１５】
好ましくは、前記シャックル交換ねじは、自身の頭部に六角ねじ穴を有する。
本発明の迅速に交換可能なシャックルを有する南京錠において、改良は、シャックル交換ねじの位置において行なわれて、南京錠の使用中に、このねじを見えなくし、かつ着脱不能にすることを可能にして、以って安全性および信頼性という利点を提供するとともに、単純な操作によりシャックルの迅速な交換を可能にするようになっている。
【００１６】
本発明のまた他の態様によれば、自由に転換可能なデッドロック機構を有する南京錠は：
鎖錠コア部と、前記鎖錠コア部に結合される鎖錠部材と、球状阻止部材とが自身の内部に配設されるとともに、深底脚部受入チャンバと浅底脚部受入チャンバとが自身上に設けられる錠本体と；
前記深底脚部受入チャンバ内に受容される長尺平行脚部と、前記浅底脚部受入チャンバ内に受容される短尺平行脚部とによって形成されるＵ字形状をなすシャックルであって、前記２本の各脚部は、前記球状阻止部材と合致する外れ止め凹部を備え、南京錠が開錠状態にあるときに、前記長尺脚部は、前記深底脚部受入チャンバ内において上昇せしめられ得、前記短尺脚部は、前記浅底脚部受入チャンバ内において上昇せしめられうるとともに、前記チャンバから脱却せしめられ得、前記長尺および短尺脚部上の前記外れ止め凹部は、南京錠が鎖錠状態にあるときに、それぞれ前記球状阻止部材と係合するシャックルと；を備え、
前記鎖錠コア部は、前記鎖錠部材に対応するとともに、前記鎖錠コア部と前記鎖錠部材との間における結合面から突出する２個のストッパを有し、前記鎖錠部材は、前記球状阻止部材を部分的に受容する受け部と、前記ストッパに結合するとともに前記ストッパ間に配置される結合部とを含み；
前記鎖錠コア部は、第１のデッドロック転換ブロック受入チャンバが一方の前記ストッパ上に設けられてデッドロック転換ブロックを完全に受容し、第２のデッドロック転換ブロック受入チャンバが前記鎖錠コア部の前記結合面上に設けられて前記デッドロック転換ブロックを、前記デッドロック転換ブロックが前記鎖錠コア部の前記結合面を超えて突出する態様に受容するデッドロック転換ブロックをさらに含み；前記第２のデッドロック転換ブロック受入チャンバは、前記鎖錠コア部が前記鎖錠部材に結合せしめられているときに、前記鎖錠部材の前記結合部の一方の端部が一方の前記ストッパと前記第２のデッドロック転換ブロック受入チャンバとの間に配置される位置に配置されることを特徴とする。
【００１７】
好ましくは、前記デッドロック転換ブロックは、円柱、直方体または立方体の形状をなす。
【発明の効果】
【００１８】
自由に転換可能なデッドロック機構を有する前記南京錠は、異なる深さの２個のデッドロック転換ブロック受入チャンバとデッドロック転換ブロックとが錠本体内に配置されることにより、デッドロック・モードを転換することができるという利便性を提供する。デッドロック転換ブロックは、デッドロック・モードに係わりなく錠本体内に維持されるため、デッドロック転換ブロックを紛失しにくくなる。
【発明を実施するための最良の形態】
【００１９】
本発明をさらに理解するために、以下の本発明の詳細な説明と本発明の実施形態とを添付図面とともに参照する。
【実施例１】
【００２０】
次に、本発明の好適な実施形態を制限するためではなく、前記実施形態を例証するためだけに示されている図面を参照する。
図３（ａ）は、本発明の好適な実施形態にしたがって構成される、迅速に交換可能なシャックルを有する南京錠の鎖錠状態における縦断面図であり、図３（ｂ）は、図３（ａ）の線Ａ−Ａにおける断面図であり、図３（ｃ）は、図３（ａ）の線Ｂ−Ｂにおける断面図である。
図４（ａ）は、長尺平行脚部２１の自由端部が深底脚部受入チャンバ内に受容される様子を示す斜視図であり、図４（ｂ）は、図４（ａ）の線Ａ−Ａにおける断面図である。
図５（ａ）は、図３（ａ）の南京錠の開錠状態における縦断面図であり、図５（ｂ）は、図５（ａ）の線Ａ−Ａにおける断面図であり、図５（ｃ）は、図５（ａ）の線Ｂ−Ｂにおける断面図である。
図６（ａ）は、図５（ａ）の南京錠の、シャックル２が１８０°回転せしめられた状態における縦断面図であり、図６（ｂ）は、図６（ａ）の線Ａ−Ａにおける断面図であり、図６（ｃ）は、図６（ａ）の線Ｂ−Ｂにおける断面図である。
図７（ａ）は、本発明の好適な実施形態にしたがって構成される、自由に転換可能なデッドロック機構を有する南京錠の鎖錠状態における縦断面図であり、図７（ｂ）は、図７（ａ）の線Ａ−Ａにおける断面図であり、図７（ｃ）は、図７（ａ）の線Ｂ−Ｂにおける断面図である。
図８（ａ）は、図７（ａ）の南京錠の鎖錠コア部２のデッドロック・モードにおける部分斜視図であり、図８（ｂ）は、図８（ａ）のデッドロック転換ブロックが第１のデッドロック転換ブロックチャンバ３２１内に受容される様子を示す部分斜視図である。
図９は、図７（ａ）の南京錠の鎖錠部材４の斜視図である。
図１０（ａ）は、図７（ａ）の南京錠のデッドロック・モードにおける開錠状態を示す縦断面図であり、図１０（ｂ）は、図１０（ａ）の線Ａ−Ａにおける断面図であり、図１０（ｃ）は、図１０（ａ）の線Ｂ−Ｂにおける断面図である。
図１１（ａ）は、図７（ａ）の南京錠の非デッドロック・モードにおける開錠状態を示す縦断面図であり、図１１（ｂ）は、図１１（ａ）の線Ａ−Ａにおける断面図である。
図１２（ａ）は、図１１（ａ）の南京錠の鍵９が元に戻された状態における縦断面図であり、図１２（ｂ）は、図１２（ａ）の線Ａ−Ａにおける断面図である。
【００２１】
図３（ａ）および図３（ｂ）に、本発明の好適な実施形態にしたがった、迅速に交換可能なシャックルを有する南京錠が鎖錠状態で示されている。この実施形態において、迅速に交換可能なシャックルを有する南京錠は、金属製の実質的に矩形の錠本体１を含むが、その上には弾性部材６を有する円筒状深底脚部受入チャンバ１１と円筒状浅底脚部受入チャンバ１２とが設けられるとともに、その内部には鎖錠コア部３と、該鎖錠コア部３に結合される鎖錠部材４と、該鎖錠部材４に結合される２個の球状阻止部材５、５'と、が配設される。この南京錠は、さらにシャックル２を含むが、これは前記深底脚部受入チャンバ１１内に受容される円筒状長尺平行脚部２１と前記浅底脚部受入チャンバ１２内に受容される円筒状短尺平行脚部２２とにより形成されるＵ字形状をなす。
【００２２】
前記２本の脚部２１、２２は、それぞれ球状阻止部材５、５'と係合可能な外れ止め凹部２１４、２１４'を備える。これらの外れ止め凹部２１４、２１４'と球状阻止部材５、５'との係合によって、南京錠の鎖錠が可能になる。長尺および短尺脚部２１、２２は、それぞれの脚部受入チャンバ１１、１２内において上昇せしめられうる。短尺脚部２２の自由端部が浅底脚部受入チャンバ１２から脱却せしめられると、南京錠は、長尺脚部２１が深底脚部受入チャンバ１１内において回転可能となる開錠状態へと変化する。
【００２３】
図３（ｃ）に示されるように、錠本体１は、さらに、深底脚部受入チャンバ１１と垂直方向に連通する通路１３を有する。好ましくは、この通路１３は、錠本体１上において、該錠本体１が深底脚部受入チャンバ１１内に受容可能な深底脚部２１の長手中心軸（図示せず）と整合する位置に配置される。
【００２４】
図４（ａ）および図４（ｂ）を参照すると、長尺脚部２１は、自身の自由端部に、当接頭部を有する環状溝２１１を備える。長尺脚部２１の当接頭部の外周面上はへこみ部２１２が配置され、このへこみ部２１２上に、該へこみ部に対して垂直なねじ穴２１３が配置される。頭部に六角ねじ穴を有するシャックル交換ねじ７は、このねじ穴２１３内に螺入され、螺合位置における前記ねじ７の端面は、前記へこみ部２１２より高く、かつ長尺脚部２１の外周面より低い。シャックル交換ねじ７は、このねじ７が錠本体上の通路１３を貫通しうる形状および寸法を有するように形成される。前記ねじ穴２１３は、図５（ｃ）に示されるように、シャックル２が上昇せしめられて南京錠が開錠された際に、該ねじ穴２１３と前記通路１３とが同じ水平面内にあり、かつ相互に位置ずれするように配置される。
【００２５】
図５（ａ）および５（ｂ）に、開錠状態にある前記南京錠が示されている。鎖錠部材４が、鎖錠コア部３により駆動されて回転するとともに再配置されることによって、球状阻止部材５、５'は２本の脚部２１、２２の外周面により押圧された後に鎖錠コア部３の軸の方へと移動し、かつ再配置されることが可能になり；同時に弾性部材６は、長尺脚部２１に上向きの弾性力を加えて、前記２本の脚部２１、２２の外れ止め凹部２１４、２１４'が球状阻止部材５、５'から係合解除されて短尺脚部２２の自由端部が浅底脚部受入チャンバ１２から脱却するまで上昇される。
【００２６】
これにより、南京錠は、球状阻止部材５'が長尺脚部２１の端部の環状溝２１１と係合し、シャックル２が、錠本体１内に閉じ込められ、かつそれによって、へこみ部２１２の表面を若干超えて突出するシャックル交換ねじ７が存在することにより、長尺脚部２１を深底脚部受入チャンバ１１内において回転させてへこみ部２１２を球状阻止部材５'と整合させることができても交換不能である固定状態になる。
【００２７】
図５（ｃ）に最もわかりやすく示されているように、シャックル交換ねじ７の頭部は、隠されるとともに、通路１３から見えない状態に保たれ、はるかに取り外されにくくなっている。
【００２８】
ねじ穴２１３と錠本体１上の通路１３とは、開錠状態において同じ水平面内にあり、かつ互いに位置ずれしているため（図６（ｂ）および６（ｃ））、シャックル２の交換が望ましいときは、シャックル２を回転させることにより、シャックル交換ねじ７の頭部を通路１３に露出させることができる。六角レンチを用いることにより、ねじ７は、シャックル２の長尺脚部２１から容易に螺脱されるとともに、通路１３から除去される。
【００２９】
その後、シャックル２を回転させて、長尺脚部２１の端部のへこみ部２１２と球状阻止部材５'とを整合させることができる。この場合は、シャックル交換ねじ７の阻止作用が存在しないため、球状阻止部材５'は、難なくへこみ部２１２を貫通し、その結果として、シャックル２が錠本体１から取り外されうる。新しいシャックルの交換は、前記作業工程段階を逆の方法で行なうことによって達成される。
【００３０】
この実施形態においては、へこみ部２１２上のねじ穴２１３は、南京錠が鎖錠状態にあるときに、錠本体１上の通路１３に対して１８０°の角度で位置ずれして配置されており、したがってシャックル２を取り外すことが望ましい場合は、シャックル２は、１８０°だけ回転される。さらにまた、この角度は、９０°等であってもよく、とりわけシャックル交換ねじの頭部と通路１３とを最も整合させやすい９０°または１８０°の角度が好ましい。
【００３１】
シャックル交換ねじ７の頭部には、その頭部に、ねじ回し工具の導入を容易にする六角ねじ穴が設けられる。その結果として、当該技術分野において通常用いられている、シャックル交換ねじの頭部に対応する形態、例えば、平頭ねじ用ドライバーとともに用いられる直線状スロットまたはテーパ頭ねじ用ドライバーとともに用いられる円錐状スロット等が用いられうる。
【００３２】
前記のような構造により、本発明の迅速に交換可能なシャックルを有する南京錠は、南京錠の使用中においてシャックル交換ねじが見えず、かつ着脱不能となって、安全性および信頼性という利点が得られるようになるという特徴を有する。シャックルの交換は、単純にシャックルを、それぞれシャックル交換ねじの除去と錠本体からのシャックルの取外しとに必要な角度に２回回転させることによって達成される。
【００３３】
次に、図７（ａ）を参照すると、本発明の好適な実施形態にしたがった自由に転換可能なデッドロック機構を有する南京錠が鎖錠状態で示されている。
【００３４】
この実施形態において、前記南京錠は、錠本体１と、シャックル２と、鎖錠コア部３と、鎖錠部材４と、２個の球状阻止部材５、５'とを備えるが、前記鎖錠コア部３は、前記錠本体１に固定されるとともに鎖錠効果を有して作用する鎖錠シリンダ３３に対して回転しうる。特定の角度は、南京錠が鎖錠状態にあるときに鍵９と鎖錠シリンダ３３とによって規定され、この角度において、鍵９は、錠本体１から自由に引き抜かれうる。
【００３５】
図８（ａ）に示されるように、鎖錠コア部３は、鎖錠部材４に対応するとともに、鎖錠コア部３と鎖錠部材４との間における結合面３１から突出する２個のストッパ３２、３２'を有する。鎖錠部材４は、前記球状阻止部材５、５'を部分的に受ける受け部４１と、前記ストッパ３２、３２'に結合されるとともに、前記ストッパ３２、３２'間に配置される結合部４２とを含む（図９）。
【００３６】
前記鎖錠コア部３は、さらに、デッドロック転換ブロック８を含む。第１のデッドロック転換ブロック受入チャンバ３２１は、前記ストッパ３２上に設けられて、前記デッドロック転換ブロック８を完全に受容し、第２のデッドロック転換ブロック受入チャンバ３１１は、鎖錠コア部の結合面３１上に設けられて、デッドロック転換ブロック８を、該デッドロック転換ブロック８が前記結合面３１から突出するように受容する。この第２のデッドロック転換ブロック受入チャンバ３１１は、前記結合面３１が鎖錠部材４の結合部４２と結合しているときに鎖錠部材４の結合部４２の一方の端部がストッパ３２、３２'と第２のデッドロック転換ブロック受入チャンバ３１１との間に配置される位置に配置される。
【００３７】
図７（ｂ）において、デッドロック転換ブロック８は、第２のデッドロック転換ブロック受入チャンバ３１１内に挿入されて、ストッパ３２、３２'とデッドロック転換ブロック８とにより加えられる把持作用によって結合部４２を固定する。その結果として、鎖錠部材４と鎖錠コア部３との間における移動の余地は、皆無となる。図７（ｃ）には、球状阻止部材５'と受け部４１との間における位置関係が示されている。
【００３８】
図１０（ａ）および１０（ｂ）を参照すると、南京錠は、単純に鍵９を鎖錠コア部３とともに鎖錠シリンダ３３に対して回転させることによって開錠され、結合部４２は、ストッパ３２、３２'とデッドロック転換ブロック８とにより把持されたままに維持されて、鎖錠部材４と鎖錠コア部３との間には依然としていかなる移動の余地もないようになっている。
【００３９】
図１０（ｃ）に、球状阻止部材５'と鎖錠部材４との間の位置関係が示されている。この南京錠の開錠状態において、球状阻止部材５、５'は、脚部２１、２２の外周面により押圧されて、鎖錠コア部３の軸方向に後退するとともに、受け部４１に再配置され、結果的に前記球状阻止部材５、５'が固定される。この固定作用は、受け部４１と結合部４２とストッパ３２、３２'と鎖錠コア部３とを介して鍵９に間接的に適用される。
【００４０】
その結果として、鍵９は、固定されるとともに、該鍵９が回転して、図７（ａ）に示されるように、鎖錠シリンダ３３に対して特定の角度をなす位置に戻ることができなくなる。鍵９は、これにより、錠本体１内において固定的に維持され、南京錠は、デッドロック・モードとなる。換言すれば、デッドロック転換ブロック８は、球状阻止部材５、５'の固定作用を鎖錠部材４と鎖錠コア部３とを介して鍵９に伝達する作用をして、鍵９を復帰させないようにする。
【００４１】
南京錠を非デッドロック・モードに転換することが望ましい場合は、鎖錠コア部３を錠本体１から取り外して、デッドロック転換ブロック８を第２のデッドロック転換ブロック受入チャンバ３１１から抜き取ると共に、然る後に第１のデッドロック転換ブロック受入チャンバ３２１内に挿入する（図８（ｂ））。
【００４２】
デッドロック転換ブロック８は、第２のデッドロック転換ブロック受入チャンバ３１１の深さとは異なる深さを有する第１のデッドロック転換ブロック受入チャンバ３２１内において完全に隠され、その後、図８（ｂ）に図示される鎖錠コア部３が錠本体１内に配置される。これにより、南京錠は、非デッドロック・モードとなる。
【００４３】
特に図１１（ａ）および１１（ｂ）を参照すると、南京錠が、鍵９を鎖錠コア部３とともに鎖錠シリンダ３３に対して回転させることにより開錠されると、デッドロック転換ブロック８がストッパ３２の第１のデッドロック転換ブロック受入チャンバ３２１内に隠されるため、結合部４２は、ストッパ３２、３２'により把持されて、鎖錠部材４と鎖錠コア部３との間における相対移動の余地がある程度だけ得られる。この状況では、球状阻止部材５、５'の固定作用は、鍵９に鎖錠部材４と鎖錠コア部３とを介して間接的に適用されえない。その結果として、球状阻止部材と鎖錠部材４とが固定される一方で、鎖錠コア部３は、鎖錠部材４に対して回転せしめられて、図７（ａ）に示されるような特定の角度に戻されうる。このことは、図１２（ａ）および１２（ｂ）に最もわかりやすく示されている。鍵９は、錠本体１から除去され得、南京錠は、非デッドロック・モードとなる。
【００４４】
本発明によれば、デッドロック転換ブロック８は、円柱、直方体および立方体等の形状をとりうる。したがって、デッドロック転換ブロック受入チャンバ３１１、３２１は、このデッドロック転換ブロック８を相対的に緩い態様で受容する形状とされる。ストッパ３２、３２'は、前記実施形態においては、円柱の４分の１の形状に形成されるとともに、さらにまた結合部４２と協働する三角形またはその他の形状をとりうる。
【００４５】
本発明の自由に転換可能なデッドロック機構を有する南京錠は、使用者が熟練者および専用工具を必要とすることなく該南京錠をデッドロック・モードと非デッドロック・モードとの間において転換することを可能にする、異なる深さの２個のデッドロック転換ブロック受入チャンバを有する。デッドロック転換ブロック８は、デッドロック・モードに係わりなく錠本体１内に維持されるため、デッドロック転換ブロック８を紛失しにくくなる。
【００４６】
本発明の多くのその他の実施形態も可能であり、かつ本出願の開示にしたがって、本発明の精神および本質から逸脱することなく、当業者により多くの対応する改変と態様の変更とが行なわれうる一方で、このような改変および態様の変更は、本出願の特許請求の範囲内に含まれることが理解される。
【図面の簡単な説明】
【００４７】
【図１】図１（ａ）は、交換可能なシャックルを有する従来式南京錠の略図であり、同図（ｂ）は、図１（ａ）の線Ａ−Ａにおける断面図である。
【図２】図２（ａ）は、転換可能なデッドロック機構を有する従来式南京錠の略図であり、同図（ｂ）は図２（ａ）の線Ａ−Ａにおける断面図、同図（ｃ）は、図２（ａ）に示される南京錠のデッドロック転換ブロックの斜視図である。
【図３】図３（ａ）は、本発明の好適な実施形態にしたがって構成される、迅速に交換可能なシャックルを有する南京錠の鎖錠状態における縦断面図であり、同図（ｂ）は、図３（ａ）の線Ａ−Ａにおける断面図、同図（ｃ）は、図３（ａ）の線Ｂ−Ｂにおける断面図である。
【図４】図４（ａ）は長尺平行脚部２１の自由端部が深底脚部受入チャンバ内に受容される様子を示す斜視図であり、同図（ｂ）は、図４（ａ）の線Ａ−Ａにおける断面図である。
【図５】図５（ａ）は、図３（ａ）の南京錠の開錠状態における縦断面図であり、同図（ｂ）は、図５（ａ）の線Ａ−Ａにおける断面図、同図（ｃ）は、図５（ａ）の線Ｂ−Ｂにおける断面図である。
【図６】図６（ａ）は、図５（ａ）の南京錠の、シャックル２が１８０°回転せしめられた状態における縦断面図であり、同図（ｂ）は、図６（ａ）の線Ａ−Ａにおける断面図、同図（ｃ）は、図６（ａ）の線Ｂ−Ｂにおける断面図である。
【図７】図７（ａ）は、本発明の好適な実施形態にしたがって構成される、自由に転換可能なデッドロック機構を有する南京錠の鎖錠状態における縦断面図であり、同図（ｂ）は、図７（ａ）の線Ａ−Ａにおける断面図、同図（ｃ）は、図７（ａ）の線Ｂ−Ｂにおける断面図である。
【図８】図８（ａ）は、図７（ａ）の南京錠の鎖錠コア部２のデッドロック・モードにおける部分斜視図であり、同図（ｂ）は、図８（ａ）のデッドロック転換ブロックが第１のデッドロック転換ブロックチャンバ３２１内に受容される様子を示す部分斜視図である。
【図９】図７（ａ）の南京錠の鎖錠部材４の斜視図である。
【図１０】図１０（ａ）は、図７（ａ）の南京錠のデッドロック・モードにおける開錠状態を示す縦断面図であり、同図（ｂ）は、図１０（ａ）の線Ａ−Ａにおける断面図、同図（ｃ）は、図１０（ａ）の線Ｂ−Ｂにおける断面図である。
【図１１】図１１（ａ）は、図７（ａ）の南京錠の非デッドロック・モードにおける開錠状態を示す縦断面図であり、同図（ｂ）は、図１１（ａ）の線Ａ−Ａにおける断面図である。
【図１２】図１２（ａ）は、図１１（ａ）の南京錠の鍵９が元に戻された状態における縦断面図であり、同図（ｂ）は、図１２（ａ）の線Ａ−Ａにおける断面図である。
【図１】
2007231721.tif 000003
【図２】
2007231721.tif 000004
【図３】
2007231721.tif 000005
【図４】
2007231721.tif 000006
【図５】
2007231721.tif 000007
【図６】
2007231721.tif 000008
【図７】
2007231721.tif 000009
【図８】
2007231721.tif 000010
【図９】
2007231721.tif 000011
【図１０】
2007231721.tif 000012
【図１１】
2007231721.tif 000013
【図１２】
2007231721.tif 000014